(57)【要約】【課題】カメラの小型化及び組立の効率化を図ることができる電子カメラを提供する。【解決手段】この電子カメラは、外装ケースにカメラ内容物１００を収納して構成される。カメラ内容物１００は、一枚の回路基板１１０の前面に撮像素子を含むレンズユニット１２０、ストロボユニット１３０、メインコンデンサ１４０、メディアコネクタ１５０が配設され、回路基板１１０の背面に液晶モニタ１６０が配設されている。即ち、カメラ内容物１００は、一枚の回路基板１１０に電子カメラを構成する各構成要素の略全てが実装されて構成され、これによりカメラ内容物１００を外装ケースに収容するだけで電子カメラを構成することができ、電子カメラの小型化及び組立の効率化を可能にしている。【選択図】          図９
2004320615.tif 000002
【特許請求の範囲】
【請求項１】
外装ケースと、該外装ケース内に配設されたカメラ内容物とからなる電子カメラにおいて、
前記カメラ内容物は、
一枚の回路基板と、
前記回路基板の前面に配設された撮像素子、レンズユニット、ストロボユニット、及びメインコンデンサと、
前記回路基板の背面に配設された画像表示ユニットと、
を備えたことを特徴とする電子カメラ。
【請求項２】
前記回路基板の前面には、記録メディア用のメディアコネクタが配設されていることを特徴とする請求項１の電子カメラ。
【請求項３】
前記メディアコネクタの上面側に電池収納部を有することを特徴とする請求項２の電子カメラ。
【請求項４】
前記レンズユニットの横側にそれぞれストロボユニットとメインコンデンサとが上下に配置され、前記レンズユニットとメインコンデンサの下側にメディアコネクタが配置されていることを特徴とする請求項２又は３の電子カメラ。
【請求項５】
前記外装ケースは、前ケース、後ケース及びメディア／電池蓋の３部材から構成され、前記メディア／電池蓋は、前記前ケース及び後ケースの下部に開閉自在に設けられていることを特徴とする請求項３の電子カメラ。
【請求項６】
前記回路基板の上端面にシャッタースイッチが配設され、前記外装ケースは前ケースと後ケースとを有し、該後ケースの上面に前記シャッタースイッチを操作するためのキートップが設けられていることを特徴とする請求項１の電子カメラ。
【発明の詳細な説明】
【０００１】
【発明の属する技術分野】
本発明は電子カメラに係り、特に小型化された電子カメラのカメラ内容物のレイアウトに関する。
【０００２】
【従来の技術】
従来、電子カメラ内のメイン基板の表裏に、主メモリカードが着脱自在な第１のカードスロットと、補助電池ユニット、補助メモリユニット、リモコンユニット等のアクセサリが着脱自在な第２のカードスロットとをそれぞれ実装し、補助機能や拡張機能を選択的に付加することができる電子カメラが提案されている（特許文献１）。
【０００３】
【特許文献１】
特開２００１−３１３８５８号公報
【０００４】
【発明が解決しようとする課題】
上記特許文献１には、２つのカードスロットを有する電子カメラが記載され、メイン基板に対するカードスロットのレイアウトが記載されているが、このメイン基板には、レンズユニット、ストロボユニット、メインコンデンサ、液晶モニタ等は実装されていない。
【０００５】
また、引用文献１に記載の電子カメラは、電源回路が実装されているメイン基板と撮像基板、又は撮像基板を含むメイン基板と電源基板の２枚の回路基板が平行に配置されており、カメラの小型化が図れていない。
【０００６】
本発明はこのような事情に鑑みてなされたもので、一枚の回路基板に略全てのカメラ内容物を搭載し、カメラの小型化及び組立の効率化を図ることができる電子カメラを提供することを目的とする。
【０００７】
【課題を解決するための手段】
前記目的を達成するために請求項１に係る発明は、外装ケースと、該外装ケース内に配設されたカメラ内容物とからなる電子カメラにおいて、前記カメラ内容物は、一枚の回路基板と、前記回路基板の前面に配設された撮像素子、レンズユニット、ストロボユニット、及びメインコンデンサと、前記回路基板の背面に配設された画像表示ユニットと、を備えたことを特徴としている。
【０００８】
即ち、請求項１に係る電子カメラは、一枚の回路基板の表裏に撮像素子、レンズユニット、ストロボユニット、メインコンデンサ、及び画像表示ユニットの略全てのカメラ内容物を搭載するようにしている。これにより、一枚の回路基板にカメラ内容物の略全てを搭載するようにしたため、カメラの小型化が可能になるとともに、外装ケース側へのカメラ内容物の取り付けが不要となり、作業性がよい。
【０００９】
請求項２に示すように、請求項１の電子カメラにおいて、前記回路基板の前面には、記録メディア用のメディアコネクタが配設されていることを特徴としている。電子カメラの小型化により、一枚の回路基板の背面に面積の大きな画像表示ユニットや各種の操作スイッチ等を実装すると、メディアコネクタを回路基板の背面側に実装することができないからである。
【００１０】
請求項３に示すように、請求項２の電子カメラにおいて、前記メディアコネクタの上面側に電池収納部を有することを特徴としている。メディアコネクタは、レンズユニット、ストロボユニット、メインコンデンサ等よりも薄型化が可能だからである。
【００１１】
請求項４に示すように、請求項２又は３の電子カメラにおいて、前記レンズユニットの横側にそれぞれストロボユニットとメインコンデンサとが上下に配置され、前記レンズユニットとメインコンデンサの下側にメディアコネクタが配置されていることを特徴としている。
【００１２】
請求項５に示すように、請求項３の電子カメラにおいて、前記外装ケースは、前ケース、後ケース及びメディア／電池蓋の３部材から構成され、前記メディア／電池蓋は、前記前ケース及び後ケースの下部に開閉自在に設けられていることを特徴としている。一枚の回路基板に各ユニットが実装されたカメラ内容物は、前ケース、後ケース及びメディア／電池蓋の３部材から構成された外装ケース内に組み込まれる。
【００１３】
請求項６に示すように、請求項１の電子カメラにおいて、前記回路基板の上端面にシャッタースイッチが配設され、前記外装ケースは前ケースと後ケースとを有し、該後ケースの上面に前記シャッタースイッチを操作するためのキートップが設けられていることを特徴としている。
【００１４】
一枚の回路基板の背面に実装される画像表示ユニットは、一枚の回路基板の前面に実装されるレンズユニット、ストロボユニット、メインコンデンサ等の厚みよりも薄く構成でき、その結果、一枚の回路基板は、外装ケースの中心よりも後側に配置されることになる。従って、前記回路基板の上端面にシャッタースイッチを配設した場合には、そのシャッタースイッチを操作するためのキートップは、後ケース側に設ける必要がある。尚、シャッタースイッチを回路基板の上端面に配設することにより、回路基板は、キートップの押圧に対してシャッタースイッチを良好に支持することができる。
【００１５】
【発明の実施の形態】
以下添付図面に従って本発明に係る電子カメラの好ましい実施の形態について詳説する。
【００１６】
図１は本発明に係る電子カメラを前方から見た斜視図であり、図２乃至図４は、それぞれ前記電子カメラの外観を示す正面図、背面図及び上面図である。
【００１７】
これらの図面に示す電子カメラ１０は、小型のデジタルカメラであり、前ケース２０、後ケース３０及びメディア／電池蓋４０の３部材から構成された外装ケースと、この外装ケース内に収容されたカメラ内容物とから構成されている。
【００１８】
図１及び図２に示すように、前ケース２０の前面には、レンズカバー５０、調光センサ用カバー５２、及びストロボカバー５４が設けられている。これらのカバー５０、５２、５４は、それぞれ透明部材によって形成されている。また、前ケース２０には、図５に示すように前面下側に２本の単４電池を収納する電池収納部２２が形成されている。
【００１９】
後ケース３０の上面には、シャッターボタンのキートップ３１が設けられ、図１に示すように後ケース３０の側面には、ＵＳＢ端子用開口３２、電源入力端子用開口３３が形成されている。
【００２０】
また、図３に示すように、後ケース３０には、液晶モニタ１６０が臨む開口３４と、電源ボタン、マルチファンクションの十字キー、撮影／再生モード選択ボタン、メニュー／ＯＫボタン、及びバックボタンのそれぞれのキートップ３５が設けられている。
【００２１】
液晶モニタ１６０は、カメラの動作モードや十字キーの機能等を文字やアイコンで表示する。また、液晶モニタ１６０は、動画（スルー画像）を表示して電子ビューファインダとして使用できるとともに、撮影した記録前の画像（プレビュー画像）やカメラに装填されたメモリカードから読み出した再生画像等を表示することができる。更に、液晶モニタ１６０は、撮影可能コマ数や再生コマ番号の表示、マニュアル設定する際のホワイトバランス、画素数、圧縮率、及びシャープネス等をマニュアル設定する際の各種のメニュー等がメニュー／ＯＫスイッチや十字キーの操作に応じて表示される。
〔外装ケースの構造〕
次に、図５乃至図８を用いて上記電子カメラ１０の外装ケースの詳細について説明する。
【００２２】
図５及び図６はそれぞれ上記電子カメラ１０の外装ケースを展開した状態の上面図及び背面図である。
【００２３】
この電子カメラ１０の外装ケースは、前述したように前ケース２０、後ケース３０及びメディア／電池蓋４０の３部材から構成され、硬質樹脂と軟質樹脂との２色成形もしくはインサート成形によって一体部品として成形されている。
【００２４】
前ケース２０、後ケース３０及びメディア／電池蓋４０の３部材は、図５又は図６に示すように展開時に略Ｌ字型に配置され、前ケース２０と後ケース３０とは第１の連接部３６で接続され、後ケース３０とメディア／電池蓋４０とは第２の連接部３７で接続されている。
【００２５】
上記のような一体成形品は、外装ケースを展開した形状の金型を制作し、これを用いて成形する。尚、前ケース２０、後ケース３０及びメディア／電池蓋４０の３部材を略Ｌ字型に配置することにより、３部材を直線に配置する場合に比べて金型の製造コストを安価にすることができるとともに、金型を小型化することができる。
【００２６】
また、図５乃至図８上で、外装ケースの硬質樹脂によって成形された部分は白色で図示され、軟質樹脂によって成形された部分は灰色で図示されている。即ち、前ケース２０、後ケース３０及びメディア／電池蓋４０の本体部は、それぞれ硬質樹脂によって形成され、シャッターボタンのキートップ３１及びその他の各ボタン類のキートップ３５、第１の連接部３６、第２の連接部３７、及び後ケース３０のフランジ部３８は、それぞれ軟質樹脂によって形成される。
【００２７】
更に、透明なレンズカバー５０、調光センサ用カバー５２、及びストロボカバー５４は、それぞれ軟質樹脂を介して前ケース２０に固定されている。また、図１に示すように、これらのカバー５０、５２、５４の外周を覆う軟質樹脂は、ケース面よりも突出し、カバー５０、５２、５４を保護する役割がある。
【００２８】
後ケース３０側に軟質樹脂によって形成されているシャッターボタンのキートップ３１及びその他の各ボタン類のキートップ３５は、各キートップの外周部が局部的に肉厚が薄く形成され、これにより上下方向に弾性をもっている。
【００２９】
次に、第１の連接部３６及び第２の連接部３７について説明する。
【００３０】
図７及び図８はそれぞれ図５に示した展開された状態の外装ケースを、図５上の矢印Ａ方向及び矢印Ｂ方向から見た側面図である。
【００３１】
図７に示すように、第１の連接部３６は、前ケース２０と後ケース３０とを接続するもので、局部的に肉厚が薄く形成された折り曲げ部３６Ａ、３６Ｂを有している。これらの折り曲げ部３６Ａ、３６Ｂを、図７に示す状態からそれぞれ９０°折り曲げることにより、図１に示すように前ケース２０と後ケース３０とを組み立てることができる。
【００３２】
また、図８に示すように、第２の連接部３７は、後ケース３０とメディア／電池蓋４０とを接続するもので、部分的に肉厚が薄く形成された折り曲げ部３７Ａ、３７Ｂを有している。折り曲げ部３７Ａは、図８に示す状態から第２の連接部３７が後ケース３０の円形コーナに沿うまで折り曲げられ、折り曲げ部３７Ａは、図８に示す状態から９０°折り曲げられ、これにより図１に示すようにメディア／電池蓋４０は、前ケース２０と係合するようになる。尚、メディア／電池蓋４０には、係合用の爪部４２が一体成形され、前ケース２０には、この爪部４２が係合する係合部２４（図５参照）が形成されている。
【００３３】
上記第１の連接部３６及び第２の連接部３７は、金型で成形するために図７及び図８に示すように水平方向に所要の長さが必要であり、その結果、前ケース２０と後ケース３０とは展開した状態での高さが異なり、同様に後ケース３０とメディア／電池蓋４０とは展開した状態での高さが異なっている。
【００３４】
即ち、図７に示すように第１の連接部３６の一端は、前ケース２０の外周縁と接続され、第１の連接部３６の他端は、後ケース３０の外周縁からほぼ連接部３６の長さだけ離間した位置で接続され、同様に図８に示すように、第２の連接部３７の一端は、メディア／電池蓋４０の外周縁と接続され、第２の連接部３７の他端は、後ケース３０の外周縁からほぼ連接部３７の長さだけ離間した位置で接続されており、前ケース２０、後ケース３０及びメディア／電池蓋４０は、それぞれ金型上での高さが異なる。
【００３５】
ところで、軟質樹脂によって形成される第１の連接部３６及び第２の連接部３７は成型後に収縮し、しかも軟質樹脂の成分等を変えて硬さを調整すると、収縮率も変わる。そのため、第１の連接部３６及び第２の連接部３７を成型するための金型は、図８に示すように他の金型とは独立して交換できる金型（上型６２、下型６４）にすることが好ましい。
【００３６】
一方、軟質樹脂からなるフランジ部３８は、後ケース３０の外周縁の略全周にわたって形成されており、外装ケースの組立後には図１又は図４に示すように前ケース２０と後ケース３０とのつなぎ目を覆ってカメラ外観を装飾するとともに、緩衝部材、滑り止め部材としての機能を果たす。更に、このフランジ部３８には、ストラップを取り付けるための孔３８Ａが形成されている。
【００３７】
尚、前ケース２０及び後ケース３０は、シャッターボタンのキートップ３１が設けられる箇所、ＵＳＢ端子用開口３２、電源入力端子用開口３３が形成される箇所、及びストロボカバー５４が設けられる箇所を除いて、略直方体の電子カメラ１０の全体が丸みを持つようにコーナ部が円形に面取りされており、シャッターボタンのキートップ３１が設けられる箇所は、円柱状の膨らみが形成されている。
【００３８】
また、硬質樹脂としては、ＡＢＳ樹脂，  ポリカーボネート樹脂等が挙げられ、軟質樹脂としては、エラストマー樹脂等が挙げられるが、これらの樹脂に限定されない。
〔カメラ内容物〕
次に、電子カメラ１０の外装ケース内に収容されるカメラ内容物について説明する。
【００３９】
図９は外装ケース内に収容されるカメラ内容物１００の斜視図であり、図１０及び図１１はそれぞれカメラ内容物１００の正面図及び背面図である。また、図１２は図２の１２−１２線に沿う断面図である。
【００４０】
これらの図面に示すように、カメラ内容物１００は、主として一枚の回路基板１１０と、レンズユニット１２０と、ストロボユニット１３０と、メインコンデンサ１４０と、メディアコネクタ１５０と、液晶モニタ（ＬＣＤユニット）１６０とから構成されている。
【００４１】
この回路基板１１０の前面には、レンズユニット１２０、ストロボユニット１３０、メインコンデンサ１４０、及びメディアコネクタ１５０が配設されている。尚、図１２に示すように、レンズユニット１２０はＣＣＤイメージセンサやＣＭＯＳイメージセンサ等の撮像素子１２２が組み込まれており、この撮像素子１２２とともに回路基板１１０に実装されている。この実施の形態では、撮像素子１２２をレンズユニット１２０を介して回路基板１１０に実装するようにしたが、これに限らず、レンズユニット１２０とは別個に回路基板１１０に実装するようにしてもよい。
【００４２】
レンズユニット１２０の横側（図９、図１０上で左側）には、それぞれストロボユニット１３０とストロボ用のメインコンデンサ１４０とが上下に配置され、レンズユニット１２０とメインコンデンサ１４０の下側にメディアコネクタ１５０が配置されている。
【００４３】
ストロボユニット１３０は、図９に示すように発光部１３２が前ケース２０のストロボカバー５４に近接するように脚部１３４を介して回路基板１１０に実装されている。
【００４４】
メディアコネクタ１５０は、図１２に示すようにレンズユニット１２０等に比べて薄くできるため、このメディアコネクタ１５０の上側のスペースに、前ケース２０に形成された電池収納部２２がくるように構成されている。
【００４５】
一方、回路基板１１０の裏面には、液晶モニタ１６０が配設されている。また、回路基板１１０の裏面には、電源ボタン、十字キー、撮影／再生モード選択ボタン、メニュー／ＯＫボタン、バックボタン等のキートップ３５によってＯＮ／ＯＦＦされるタクトスイッチ１７０が実装されている。
【００４６】
また、回路基板１１０の上端面には、シャッターボタンのキートップ３１によって押下される２段ストロークのシャッタースイッチ１７２が配設されている。
【００４７】
尚、一枚の回路基板１１０には、ＵＳＢ端子、電源入力端子、電源回路、画像信号処理ＩＣやカメラ全体を統括制御するＣＰＵ等が搭載されているが、図９乃至図１２の図面上では省略されている。
【００４８】
図１等に示した電子カメラ１０は、上記構成のカメラ内容物１００を前ケース２０と後ケース３０との間に収容し、前ケース２０と後ケース３０とをネジ固定することにより構成される。
【００４９】
また、図１２に示すように、メディア／電池蓋４０を開けると、電子カメラ１０に使用される記録メディア（ｘＤピクチャーカード、スマートメディア、ＳＤカード等のメモリカード）１７４の着脱や電池収納部２２への電池の着脱が可能となる。ここで、電池収納部２２の下端の湾曲部２２Ａにより、メディアコネクタ１５０の下側にスペースが形成されており、このスペースを利用してメディア１８４の下端を指でつまんでメディア１８４の抜き差しができるようになっている。
〔電池端子接続構造〕
次に、電子カメラ１０の電池端子接続構造について説明する。
【００５０】
図１３は電子カメラ１０の前ケース２０と回路基板１１０との分解斜視図であり、図１４は図１３に示した前ケース２０と回路基板１１０の側面図である。また、図１５は前ケース２０の正面図である。
【００５１】
図１３及び図１４に示すように、回路基板１１０上には、電池から電源を入力するための正の接触端子１８０と、負の接触端子１８２とが実装されている。これらの接触端子１８０、１８２の接触部１８０Ａ、１８２Ａは、板バネ状に形成されており、回路基板１１０に対して上下方向に弾性をもっている。
【００５２】
一方、前ケース２０の電池収納部２２の一端（図１５上で右端）には、電池の正極が接触する電池端子１８４と電池の負極が接触する電池端子１８６とが取り付けられ、電池収納部２２の他端（図１５上の左端）には、電池の負極が接触する電池端子１８８と電池の正極が接触する電池端子１８９とが取り付けられる。尚、電池端子１８８と電池端子１８９とは互いに連結されており（図示せず）、これにより電池収納部２２に収納される２本の電池を直列接続できるようになっている。
【００５３】
これらの電池端子１８４、１８６、１８８、１８９は、略Ｕ字形に形成されており、前ケース２０の裏側（図６参照）から装着され、前ケース２０と回路基板１１０との間に挟持される。また、前ケース２０と後ケース３０との間に回路基板１１０が収容されると、前記電池端子１８４、１８６は、回路基板１１０側の接触端子１８０、１８２と対向する位置にくる。
【００５４】
電池端子１８４には、回路基板１１０側の接触端子１８０の接触部１８０Ａと接触する接触部１８４Ａが形成されており、同様に電池端子１８６には、回路基板１１０側の接触端子１８２の接触部１８２Ａと接触する接触部１８６Ａが形成されている。
【００５５】
そして、前ケース２０と回路基板１１０とが互いに所定の位置に固定されると、前ケース２０側が取り付けられた電池端子１８４、１８６の接触部１８４Ａ、１８６Ａは、それぞれ回路基板１１０に実装された接触端子１８０、１８２の接触部１８０Ａ、１８２Ａと接触する。これにより、前ケース２０の電池収納部２２に収納される電池から回路基板１１０に電源を供給することができるようになる。
【００５６】
また、前ケース２０と回路基板１１０とが互いに所定の位置に固定されると、回路基板１１０に実装された接触端子１８０、１８２の接触部１８０Ａ、１８２Ａは、前ケース２０側の電池端子１８４、１８６の接触部１８４Ａ、１８６Ａによって押圧され、回路基板１１０に対して上下方向に撓んだ状態となる。即ち、接触端子１８０、１８２の接触部１８０Ａ、１８２Ａと電池端子１８４、１８６の接触部１８４Ａ、１８６Ａとの接触面は、所定の押圧力で付勢された状態となり、両者間の電気的な導通が確実に得られるようになっている。
【００５７】
更に、回路基板１１０側の接触端子１８０、１８２の接触部１８０Ａ、１８２Ａには、ニッケルメッキ処理により素材（例えば、鉄板）の表面にニッケル層（Ｎｉ層）が形成され、続いてニッケルボロンメッキ処理によりＮｉ層上にニッケルボロン層（ＮｉＢ層）が形成されている。
【００５８】
前記接触端子１８０、１８２の接触部１８０Ａ、１８２Ａと電池端子１８４、１８６の接触部１８４Ａ、１８６Ａとは、接触時に接触部１８０Ａ、１８２Ａが撓みながら接触部同士が擦り合わされるが、ニッケルボロンの硬度は、鉄よりも高いため、接触部のセルフクリーニング効果が期待できる。
【００５９】
尚、接触端子１８０、１８２の接触部１８０Ａ、１８２Ａの表面硬度は、電池端子１８４、１８６の接触部１８４Ａ、１８６Ａの表面硬度以上であればよく、従って、接触部１８０Ａ、１８２Ａにニッケルメッキのみを施してもよい。
【００６０】
この実施の形態では、回路基板１１０に実装される接触端子１８０、１８２の接触部１８０Ａ、１８２Ａに弾性を持たせたり、ニッケルボロンメッキ処理等を施すようにしたが、これに限らず、前ケース２０の電池収納部２２側に取り付けられる電池端子１８４、１８６の接触部１８４Ａ、１８６Ａに弾性を持たせたり、ニッケルボロンメッキ処理等を施すようにしてもよい。
【００６１】
上記構成の電池端子接続構造は、電池端子１８４、１８６と回路基板１１０との接続に、はんだ付けやコネクタを介した接続が不要であり、組立性がよいという利点がある。
〔カメラの防水構造〕
次に、電子カメラ１０の防水構造について説明する。
【００６２】
図１６は電子カメラ１０の前ケース２０と後ケース３０’との分解斜視図であり、図１７は図１６の側面図である。尚、図１６及び図１７では、説明の便宜上、前ケース２０、後ケース３０’、及びメディア／電池蓋４０はそれぞれ分離しているが、これらは図５等で示したように一体部品として成形されている。
【００６３】
前ケース２０の光学部材が臨む透明なレンズカバー５０、調光センサ用カバー５２、及びストロボカバー５４は、前述したように軟質樹脂を介して前ケース２０に固定され、これらのカバー５０、５２、５４と前ケース２０との間は防水構造となっている。
【００６４】
また、図１６に示すように、後ケース３０’の液晶モニタ１６０（図１１参照）が表示面が臨む位置には、透明なＬＣＤカバー３９が軟質樹脂を介して後ケース３０’に固定され、ＬＣＤカバー３９と後ケース３０’との間は防水構造となっている。尚、後ケース３０’の他の構成は、図１等に示した後ケース３０と同一である。
【００６５】
カメラ操作部材として後ケース３０’に設けられたシャッターボタンのキートップ３１、電源ボタン、マルチファンクションの十字キー、撮影／再生モード選択ボタン、メニュー／ＯＫボタン、及びバックボタンのそれぞれのキートップ３５は、前述したように軟質樹脂によって後ケース３０’に一体成形されているため、これらのキートップ３１、３５と後ケース３０’との間は防水構造となっている。
【００６６】
次に、前ケース２０と後ケース３０’との間の防水構造について説明する。
【００６７】
図１８は図１７の１８−１８線に沿う要部断面図であり、図１８（Ａ）及び（Ｂ）はそれぞれ前ケース２０と後ケース３０’との組立前及び組立後の状態に関して示している。
【００６８】
図１８（Ａ）に示すように後ケース３０’の外周縁の略全周にわたって軟質樹脂により成形されたフランジ部３８は、略Ｔ字断面を有しており、この略Ｔ字断面のＩ字断面部分がパッキング３８Ｂを兼ねている。
【００６９】
図１８（Ｂ）に示すように前ケース２０と後ケース３０’とを組み立てると、フランジ部３８のパッキング３８Ｂは、前ケース２０の外周縁２０Ａによって潰される。これにより、前ケース２０と後ケース３０’との間はパッキング３８Ｂにより防水構造となる。
【００７０】
尚、後ケース３０’の側面に形成されたＵＳＢ端子用開口３２及び電源入力端子用開口３３は、図示しない防水キャップ等で塞ぐことができる。また、前ケース２０とメディア／電池蓋４０との間にも図示しないパッキングを設けることにより防水構造とすることができる。
【００７１】
【発明の効果】
以上説明したように本発明によれば、一枚の回路基板に電子カメラとして機能するための略全てのカメラ内容物を搭載するようにしたため、このカメラ内容物を外装ケース内に収容するだけで電子カメラを構成することができ、カメラの小型化及び組立の効率化を図ることができる。
【図面の簡単な説明】
【図１】本発明に係る電子カメラを前方から見た斜視図
【図２】電子カメラの外観を示す正面図
【図３】電子カメラの外観を示す背面図
【図４】電子カメラの外観を示す上面図
【図５】電子カメラの外装ケースを展開した状態の上面図
【図６】電子カメラの外装ケースを展開した状態の背面図
【図７】図５に示した展開された状態の外装ケースを図５上の矢印Ａ方向から見た側面図
【図８】図５に示した展開された状態の外装ケースを図５上の矢印Ｂ方向から見た側面図
【図９】電子カメラの外装ケース内に収容されるカメラ内容物の斜視図
【図１０】カメラ内容物の正面図
【図１１】カメラ内容物の背面図
【図１２】図２の１２−１２線に沿う断面図
【図１３】電子カメラの前ケースと回路基板との分解斜視図
【図１４】図１３に示した電子カメラの前ケースと回路基板の側面図
【図１５】電子カメラの前ケースの正面図
【図１６】電子カメラの前ケースと後ケースの斜視図
【図１７】電子カメラの前ケースと後ケースの側面図
【図１８】図１７の１８−１８線に沿う断面図
【符号の説明】
１０…電子カメラ、２０…前ケース、２２…電池収納部、３０、３０’…後ケース、４０…メディア／電池蓋、１００…カメラ内容物、１１０…回路基板、１２０…レンズユニット、１２２…撮像素子、１３０…ストロボユニット、１４０…メインコンデンサ、１５０…メディアコネクタ、１６０…液晶モニタ、１７０…タクトスイッチ、１７２…シャッタースイッチ、１７４…記録メディア
【図１】
2004320615.tif 000003
【図２】
2004320615.tif 000004
【図３】
2004320615.tif 000005
【図４】
2004320615.tif 000006
【図５】
2004320615.tif 000007
【図６】
2004320615.tif 000008
【図７】
2004320615.tif 000009
【図８】
2004320615.tif 000010
【図９】
2004320615.tif 000011
【図１０】
2004320615.tif 000012
【図１１】
2004320615.tif 000013
【図１２】
2004320615.tif 000014
【図１３】
2004320615.tif 000015
【図１４】
2004320615.tif 000016
【図１５】
2004320615.tif 000017
【図１６】
2004320615.tif 000018
【図１７】
2004320615.tif 000019
【図１８】
2004320615.tif 000020